(57)【特許請求の範囲】
【請求項１】
車両用座席のためのスライドレールであって、
車両用車両に固定されることになっている固定部分（６）と、前記固定部分に沿ってスライド可能な形で装着されており、かつ、前記座席がいわゆる縦方向に前後に移動することを可能にするように前記座席に固定されることになっており、前記固定部分と共に前記スライドレール内に中空の内側空間（８）を画定する可動部分（７）と、
前記可動部分（７）上に装着されており、かつ、スライドレール止め具が前記固定部分（６）と係合して前記可動部分をロックするロック位置と、前記スライドレール止め具が前記固定部分と係合せずに前記可動部分がスライドすることを可能にするロック解除位置との間を移動することが可能であり、そのロック位置に弾性的に偏倚させられているスライドレール止め具（２９）と、
前記スライドレールの前記内側空間（８）内に配置されており、前記可動部分（７）の後方移動を制限し、かつ、それによって前記可動部分の記憶位置を画定する、前記縦方向に対して平行に前記固定部分（６）に対してスライド可能な形で装着されている記憶保持ランナ（６１）と、
前記固定部分（６）に対して前記記憶保持ランナを固定するように前記固定部分と一体のノッチ（６８）とランナ止め具が係合するロック位置と、前記記憶保持ランナをそのランナ止め具が固定しないロック解除位置との間を移動することが可能である、前記記憶保持ランナ（６１）に取り付けられているランナ止め具（６４）と、
ランナロック装置が前記可動部分に前記記憶保持ランナ（６１）を固定する結合位置と、ランナロック装置が前記可動部分に前記記憶保持ランナを固定しない非結合位置との間を移動することが可能である、前記可動部分（７）上に取り付けられているランナロック装置（１３、５１）と、
前記座席の記憶位置を調整するために、前記可動部分（７）と前記記憶保持ランナ（６１）とが同時に前記固定部分（６）に対して前後にスライドすることを可能にするように、前記スライドレール止め具（２９）がそのロック解除位置にあり、前記ロック装置（１３、５１）がその結合位置にある第１のロック解除状態に前記スライドレールをおくようになっている第１の制御手段（９、３２）と、
前記記憶保持ランナ（６１）を移動させずに前記可動部分（７）が前方にスライドすることを可能にするように、前記スライドレール止め具がそのロック解除位置にあり、かつ前記ロック装置（５１）が非結合位置にある第２のロック解除状態に前記スライドレールをおくようになっている第２の制御手段（１２、４０）を有する、
車両用座席のためのスライドレールにおいて、
前記記憶保持ランナ（６１）が、前記固定部分（６）と一体である縦方向ガイド（６２）と摩擦嵌合によって係合すること、
前記ランナ止め具（６４）が、前記記憶保持ランナ上に装着されているばね（６６）によってそのロック解除位置に弾性的に偏倚させられていること、
前記スライドレールの前記可動部分（７）が、前記スライドレールの前記中空内側空間（８）内に突出するくさび（７１）を含み、前記くさびが前記ランナ止め具に属する支持表面（７５）と係合するようになっているカム表面（７４、７６）を有し、前記カム表面が、前記スライドレールの前記可動部分（７）がその記憶位置にある時には前記ランナ止め具（６４）をそのロック解除位置に残すように、一方、前記可動部分がその記憶位置にない時には、即ち、少なくとも、前記可動部分がその記憶位置から離れるかまたは前記記憶位置に戻る時には、前記ランナ止め具をそのロック位置に移動させるように構成されており、かつ、前記記憶保持ランナ（６１）とその対応するガイド（６２）との間の摩擦が、前記ランナ止め具の前記支持表面（７５）に対する前記くさびの前記カム表面（７４、７６）の作用が前記記憶保持ランナの縦方向のスライドを生じさせることを防止するのに充分な大きさであること
を特徴とする、車両用座席のためのスライドレール。
【請求項２】
前記可動部分（７）がその記憶位置をちょうど離れ終わった時にだけ、または、前記記憶位置に戻っていく時にだけ、前記ランナ止め具（６４）がそのロック位置にあるように、１ｃｍ未満である予め指定された距離よりも短い距離しか前記記憶場所から離れていない位置に前記スライドレールの前記可動部分（７）がその記憶位置から前方に移動させられる時にだけ、前記ランナ止め具（６４）をそのロック位置に移動させるように、前記くさびの前記カム表面（７４、７６）が構成されている、請求項１に記載のスライドレール。
【請求項３】
前記スライドレール止め具（２９）が、前記スライドレールの前記中空内側空間（８）内に収容されている弾性金属部品である、請求項１または２に記載のスライドレール。
【請求項４】
前記固定部分（６）が、前記記憶保持ランナ（６１）を有する水平底部（２１）を含み、前方位置と後方位置との間を前記可動部分に対して縦方向にスライドするように装着されているスライダ（１３）を有し、かつ前記くさび（７１）と一体である水平上部ウェブ（２５）を前記可動部分（７）が有し、前記スライダ（１３）が前部端部と後部端部とを有し、前記可動部分に対して平行な位置と前記スライドレールの前記中空内側空間（８）に向かって傾斜した位置との間を前記スライダが移動することが可能であるように、前記スライダの前方端部が、前記可動部分に対して第１の水平横軸（４３）を中心としてピボット運動可能な形で取り付けられており、前記後方端部が、高位置と低位置との間を第２の水平横軸（５２）を中心としてピボット運動可能な形で前記スライダに取り付けられているクリップ（５１）を有し、このクリップがその低位置に向かって弾性的に偏倚させられており、このクリップが、前記スライダが前記可動部分に対して傾斜位置にある時におよび前記可動部分がその記憶位置にある時に前記記憶保持ランナ（６１）に属するハウジング（６０）内に貫入するようになっている下向きの先端（５６）を有し、したがって、前記スライダとそのクリップとが前記ロック装置を形成し、前記スライダが、さらに、前記第２の制御手段（１２、４０）の作用を受けて前記スライダがその前方位置から後方位置に移動する時に前記スライドレール止め具をそのロック位置からロック解除位置に移動させるように前記スライドレール止め具（２９）と係合するカム表面（４８）を有し、前記スライドレールが、さらに、前記第１の制御手段（９、３２）の作用を受けて前記スライドレール止め具がそのロック解除位置に移動させられる時に前記スライダに属する別の支持表面（４９）に対して作用するようになっている支持端縁（２０）を含み、前記スライダが、その前方位置と、その前記可動部分に平行な位置とに向かって同時に弾性的に付勢されている、請求項１から３のいずれか１項に記載のスライドレール。
【請求項５】
前記スライダ（１３）が、一方では、前記スライドレールの前記可動部分（７）と一体でありかつ前記スライダのピボット軸（４３）の高さよりも高い位置に配置されている支持突片（３８）と、他方では、前記スライダの前部端部に向けて配置されている上部ロック頭部（４０）との間に装着されている、同じ１つの引張ばね（１４）によって、その前方位置と、その前記可動部分に平行な位置とに向かって同時に付勢されている、請求項４に記載のスライドレール。
【請求項６】
前記クリップ（５１）が、前記第１の制御手段（９、３２）が起動させられる際に、前記可動部分（７）がスライドするのを前記スライドレール止め具（２９）が可能にする前に、そのクリップが前記記憶保持ランナのハウジング（６０）内に係合するように構成されている、請求項４または５に記載のスライドレール。
【請求項７】
前記クリップ（５１）が、前記ランナの対応するハウジング（６０）内に前記クリップが係合させられる時に前記記憶保持ランナ（６１）が前方に駆動されることを可能にするように構成されており、前記記憶保持ランナがさらに、前記可動部分がその記憶位置にある時に、前記可動部分（７）と一体である止め子（７３）と接触しており、前記止め子の端部が、前記記憶保持ランナの前部に向けて配置されており、かつ、前記第１の制御手段（９、３２）が起動させられる時に前記記憶保持ランナが後方に移動させられることを可能にする、請求項４から６いずれか１項に記載のスライドレール。
【請求項８】
前記クリップ（５１）が、前記スライダに対して前記クリップ（５１）がその高位置に移動する時に前記ランナ止め具（６４）をそのロック位置に移動させるために、前記第２の制御手段（１２、４０）が起動させられる時に前記ランナ止め具（６４）と係合するカム表面（５６ａ）を備える後部端部を有する、請求項４から７のいずれか１項に記載のスライドレール。
【請求項９】
前記クリップの前記カム表面（５６ａ）が、前記第２の制御手段（１２、４０）が起動させられる時に、前記スライドレール止め具（２９）が前記可動部分（７）のスライドを可能にする前に前記ランナ止め具（６４）がそのロック位置に移動するように構成されている、請求項８に記載のスライドレール。
【請求項１０】
前記記憶保持ランナ（６１）が、前記スライダ（３１）がその傾斜位置にありかつ前記クリップ（５１）がその低位置にある時に、前記クリップが前記記憶保持ランナの対応ハウジング（６０）内に係合させられていない場合に、前記クリップの前記カム表面（５６ａ）が、前記可動部分（７）が後方に移動させられる時に前記クリップの前記カム表面（５６ａ）がスライドして前記記憶保持ランナの傾斜した前部端縁に突き当たり、それによって、前記記憶保持ランナの対応するハウジング（６０）内に前記クリップの前記先端（５６）が係合させられる時まで、前記クリップを持ち上げるようになっているように構成されている前部端部（７７）を有する、請求項８または９に記載のスライドレール。
【請求項１１】
前記クリップ（５１）が、前記第２の制御手段（１２、４０）の作用を受けて前記スライダがその後方位置に移動させられる時に前記可動部分の上部ウェブ（２５）内に配置されているハウジング（５９）よりも高い位置にある補助先端（５８）と一体であり、この補助先端が、前記可動部分（７）がその記憶位置から離れて前記クリップの前記カム表面（５６ａ）が前記記憶保持ランナと係合しなくなる時に、前記対応ハウジング（５９）内に係合するようになっており、前記補助先端が、前記可動部分がその記憶位置に戻る時まで前記スライダ（１３）をその後方位置に保持するようになっており、前記記憶位置においては、前記クリップの前記カム表面（５６ａ）が再び前記クリップを持ち上げて、前記補助先端（５８）をそのハウジング（５９）から離脱させる、請求項８から１０のいずれか１項に記載のスライドレール。
【請求項１２】
請求項１から１１のいずれか１項に記載の少なくとも１つのスライドレール（５）によって縦方向にスライド可能な形で取り付けられ、前記スライドレールの前記可動部分（７）に固定されている座席部品（３）を含む車両用座席。
【請求項１３】
請求項４から１１のいずれか１項に記載の少なくとも１つの第１のスライドレール（５）と、固定部分（６）、可動部分（７）、およびロック位置とロック解除位置との間を移動することが可能なスライドレール止め具（２９）を含む第２のスライドレール（５）とによって、縦方向にスライド可能な形で装着されている座席部品（３）を含み、前記座席の前記座席部品（３）が前記スライドレールの前記可動部分（７）に固定されており、前記第１のスライドレールのスライダ（１３）がリンク（１５）によって横方向連結棒（１６）に結合されており、前記横方向連結棒が、前記２つのスライドレールの前記可動部分（７）の上にピボット運動可能な形で装着されており、かつ、前記第２の制御手段（１２、４０）が起動させられる時に前記第２のスライドレールの前記スライドレール止め具（２９）をそのロック解除位置に移動させるように前記第２のスライドレールの前記スライドレール止め具（２９）と係合する支持敷居（１９）を含む、車両用座席。
【発明の詳細な説明】
【０００１】
【発明の属する技術分野】
本発明は、車両用座席のためのスライドレールと、こうしたスライドレールを含む座席に関する。
【０００２】
特に、本発明は、
車両に固定されることになっている固定部分と、
上記固定部分に沿ってスライド可能な形で装着されており、かつ、いわゆる縦方向に上記座席が前後移動することを可能にするように上記座席に固定されることになっており、上記固定部分と共に上記スライドレール内に中空の内側空間を画定する可動部分と、
上記可動部分上に装着されており、かつ、一方では、上記スライドレール止め具が上記固定部分と係合して上記可動部分をロックするロック位置と、他方では、上記スライドレール止め具が上記固定部分と係合せずに上記可動部分がスライドすることを可能にするロック解除位置との間を移動することが可能であり、そのロック位置に弾性的に偏倚させられているスライドレール止め具と、
上記スライドレールの上記内側空間内に配置されており、上記可動部分の後方移動を制限し、かつ、それによって上記可動部分の記憶位置を画定する、縦方向に対して平行に上記固定部分に対してスライド装着されている記憶保持ランナと、
一方では、上記固定部分に対して上記記憶保持ランナを固定するように上記固定部分と一体のノッチとそのランナ止め具が係合するロック位置と、他方では、上記記憶保持ランナをそのランナ止め具が固定しないロック解除位置との間を移動することが可能である、上記記憶保持ランナに取り付けられているランナ止め具と、
一方では、そのランナロック装置が上記可動部分に上記記憶保持ランナを固定する結合位置と、他方では、そのランナロック装置が上記可動部分に上記記憶保持ランナを固定しない非結合位置との間を移動することが可能である、上記可動部分上に取り付けられているランナロック装置と、
上記座席の記憶位置を調節するために、上記可動部分と上記記憶保持ランナとが上記固定部分に対して同時に前後にスライドすることを可能にするように、上記スライドレール止め具をそのロック位置からそのロック解除位置に移動させると同時に上記ロック装置をその非結合位置からその結合位置に移動させるようになっている第１の制御手段と、
上記記憶保持ランナを移動させずに上記可動部分が前方にスライドすることを可能にするように、上記ロック装置をその結合位置に移動させることなしに上記スライドレール止め具をそのロック位置からロック解除位置に移動させるようになっている第２の制御手段
を含む、車両用座席のためのスライドレールに関する。
【０００３】
【従来の技術】
この種のスライドレールは、特に、２ドア型車両の前部座席に備え付けるために使用される。こうした車両では、後部座席に出入りするために、一般に前部座席の背もたれを前方に折り曲げることによって第２の制御手段が起動させられ、その後、前部座席が停止位置まで前方にスライドさせられる。その後、前部座席の背もたれをその初期位置に戻すために、記憶保持ランナによって生じさせられるその初期位置まで、前部座席が後方にスライドさせられる。
【０００４】
フランス公開特許  ２  ６９５  ８８５は、上記記憶保持ランナがスライドレールの中空内側空間内に単純に閉じ込められており、この記憶保持ランナが、ランナ止め具を構成し、記憶保持ランナ全体をその先端上で旋回させることによってそのロック位置とロック解除位置との間を移動することが可能である先端を含む、上記スライドレールの１つの例を開示している。この公知のスライドレールでは、記憶保持ランナの先端が、上記固定部分の底部内に形成されているラックとこの先端が係合するように、上記可動部分の上部ウェブの下側に保持されている板ばねによってそのロック位置に弾性的に偏倚させられ、上記ラックは、記憶保持ランナが後方にスライドすることを防止するように配置されている。
【０００５】
【発明が解決しようとする課題】
上記特許文献に開示されているスライドレールは、全体として見た場合には充分なものであるが、次の欠点を有している。
【０００６】
第２の制御手段の起動後にそのスライドレールの可動部分が前方に移動させられた後で後方移動させられる時に、記憶保持ランナがその記憶位置を失ってしまい、可動部分が上記記憶保持ランナに激しく突き当たると、上記記憶保持ランナが１つ以上の切欠きにわたって後退する可能性があり、このことが特定の状況で生じることがある。
【０００７】
上記スライドレールの固定部分上に可動部分が装着されていない場合には、上記記憶保持ランナが勝手に動き、このことが上記スライドレールの組立を複雑にする。
【０００８】
上記可動部分の上部ウェブの下側に板ばねがスライド接触することは、そのウェブが滑らかなスライド経路を有することを前提としており、このことは、スライドレールの構造に対するさらに別の制限をもたらす。
【０００９】
本発明の目的はこれらの欠点を克服することである。
【００１０】
このために、本発明によれば、この種のスライドレールは、本質的に、
上記記憶保持ランナが、上記固定部分と一体である縦方向ガイドと摩擦嵌合によって係合すること、
上記スライドレールの可動部分が、上記スライドレールの上記中空内側空間内に突出するくさびを含み、このくさびがランナ止め具に属する支持表面と係合するようになっているカム表面を有し、上記カム表面が、上記スライドレールの可動部分がその記憶位置にある時には上記ランナ止め具をそのロック解除位置に残すように、一方、上記可動部分がその記憶位置にない時には、即ち、少なくとも上記可動部分がその記憶位置から離れるかまたは上記記憶位置に戻る時には、上記ランナ止め具をそのロック位置に移動させるように構成されており、かつ、上記記憶保持ランナとその対応するガイドとの間の摩擦が、上記ランナ止め具の上記支持表面に対する上記くさびのカム表面の作用が上記記憶保持ランナの縦方向のスライドを生じさせることを防止するのに充分な大きさであることを特徴とする。
【００１１】
これらの構成によって、スライドレールの可動部分がその記憶位置から離れる場合に、または、その可動部分が上記記憶位置に戻る場合、即ち、スライドレールの他の構成要素との係合のせいで記憶保持ランナが記憶位置を失う可能性がある場合に、上記ランナ止め具がそのロック位置に確実に保持される。したがって、簡単で低コストの手段を使用することによって、スライドレールの最終設定位置の効果的な記憶保持が確保される。
【００１２】
さらに、上記固定部分上への上記可動部分の取付の前でさえ、上記記憶保持ランナがそのガイドによって保持され、このことは、スライドレールの組立を容易にする。
【００１３】
最後に、本発明は、上記記憶保持ランナの構成要素と上記可動部分の上部ウェブとの間のスライド接触を全く必要とせず、このことがスライドレールの構造を容易にする。
【００１４】
本発明の好ましい実施様態では、上記構成に加えて、次の構成のいずれかを追加して使用することが可能である。
【００１５】
上記可動部分がその記憶位置を離れ終わった時だけに、または、上記記憶位置に戻っていく時だけに、ランナ止め具がそのロック位置にあるように、１ｃｍ未満である予め特定された距離よりも短い距離だけしか上記記憶場所から離れていない位置にスライドレールの可動部分がその記憶位置から前方に移動させられる時にだけ、ランナ止め具をそのロック位置に移動させるように、上記くさびのカム表面が構成されており、
スライドレール止め具が、上記スライドレールの中空内側空間内に収容されている弾性金属部品であり、
上記固定部分が、記憶保持ランナを有する水平底部を含み、前方位置と後方位置との間を上記可動部分に対して縦方向にスライドするように装着されているスライダを有しかつ上記くさびと一体である水平上部ウェブを、上記可動部分が有し、上記スライダが、前部端部と後部端部とを有し、上記可動部分に対して平行な位置とスライドレールの中空内側空間に向かって傾斜した位置との間を上記スライダが移動することが可能であるように、上記スライダの前方端部が、上記可動部分に対して第１の水平横軸を中心としてピボット運動可能な形で取り付けられており、上記後方端部が、高位置と低位置との間を第２の水平横軸を中心としてピボット運動可能な形で上記スライダに取り付けられているクリップを有し、このクリップがその低位置に向かって弾性的に偏倚させられており、このクリップが、上記スライダが上記可動部分に対して傾斜位置にある時におよび上記可動部分がその記憶位置にある時に上記記憶保持ランナに属するハウジング内に貫入するようになっている下向きの先端を有し、従って、上記スライダとそのクリップとが上記ロック装置を形成し、上記スライダが、さらに、上記第２の制御手段の作用を受けて上記スライダがその前方位置から後方位置に移動する時に上記スライドレール止め具をそのロック位置からロック解除位置に移動させるように上記スライドレール止め具と係合するカム表面も有し、
上記スライドレールが、さらに、上記第１の制御手段の作用を受けて上記スライドレール止め具がそのロック解除位置に移動させられる時に上記スライダに属する別の支持表面に対して作用するようになっている端縁も含み、上記スライダがその前方位置と、その前記可動部分に平行な位置とに向かって同時に弾性的に付勢されており、
上記スライダが、一方では、上記スライドレールの上記可動部分と一体でありかつ上記スライダのピボット軸の高さよりも高い位置に配置されている支持突片と、他方では、上記スライダの前部端部に向けて配置されている上部ロック頭部との間に装着されている、同じ１つの引張ばねによって、その前方位置と、その可動部分に平行な位置とに向かって同時に付勢されており、
上記クリップが、上記第１の制御手段が起動させられる際に、上記可動部分がスライドするのを上記スライドレール止め具が可能にする前に、そのクリップが上記記憶保持ランナのハウジング内に係合するように構成されており、
上記クリップが、上記ランナの対応するハウジング内に上記クリップが係合させられる時に上記記憶保持ランナが前方に駆動されることを可能にするように構成されており、上記記憶保持ランナがさらに、上記可動部分がその記憶位置にある時に上記可動部分と一体である止め子の端部と接触しており、上記止め子端部が、上記記憶保持ランナの前部に向けて配置されており、かつ、上記第１の制御手段が起動させられる時に上記記憶保持ランナが後方に駆動されることを可能にし、
上記クリップが、上記スライダに対して上記クリップがその高位置に移動する時に上記ランナ止め具をそのロック位置に移動させるために、上記第２の制御手段が起動させられる時に上記ランナ止め具と係合するカム表面を備える後部端部を有し、
上記クリップの上記カム表面が、第２の制御手段が起動させられる時に、上記スライドレール止め具が上記可動部分のスライドを可能にする前に上記ランナ止め具がそのロック位置に移動するように構成されており、
上記記憶保持ランナが、上記スライダがその傾斜位置にありかつ上記クリップがその低位置にある時に、上記クリップが上記記憶保持ランナの対応ハウジング内に係合させられていない場合に、上記クリップのカム表面が、上記可動部分が後方に移動させられる時に上記カム表面がスライドして上記記憶保持ランナの傾斜した前部端縁に突き当たり、それによって、上記記憶保持ランナの対応するハウジング内に上記クリップの先端が係合させられる時まで、上記クリップを持ち上げるようになっているように構成されており、
上記クリップが、上記第２の制御手段の作用を受けて上記スライダがその後方位置に移動させられる時に上記可動部分の上部ウェブ内に配置されているハウジングより高い位置にある補助先端と一体であり、この補助先端が、上記可動部分がその記憶位置から離れて上記クリップのカム表面が上記記憶保持ランナと係合しなくなる時に、上記対応ハウジング内に係合させられるようになっており、上記補助先端が、上記可動部分がその記憶位置に戻る時まで上記スライダをその後方位置に保持するようになっており、上記記憶位置においては、上記クリップのカム表面が再び上記クリップを持ち上げて、上記補助先端をそのハウジングから離脱させる。
【００１６】
さらに、本発明の他の目的は、上記定義の通りの少なくとも１つのスライドレールによって縦方向にスライドするように取り付けられている、上記スライドレールの可動部分に固定されている座席部品を含む車両用座席である。
【００１７】
最後に、本発明のさらに別の目的は、上記定義の通りの少なくとも１つの第１のスライドレールと、固定部分、可動部分およびロック位置とロック解除位置との間を移動することが可能なスライドレール止め具を含む第２のスライドレールとによって、縦方向にスライド可能な形で装着されている座席部品を含み、上記座席部品が上記スライドレールの上記可動部分に固定されており、上記第１のスライドレールのスライダがリンクによって横方向連結棒に結合されており、上記横方向連結棒が、上記２つのスライドレールの上記可動部分の上にピボット運動可能な形で装着されており、かつ、上記第２の制御手段が起動させられる時に上記第２のスライドレールのスライドレール止め具をそのロック解除位置に移動させるように上記第２のスライドレールのスライドレール止め具と係合する支持敷居を含む、車両用座席である。
【００１８】
【発明の実施の形態】
次に、本発明の実施の形態について図面を参照して説明する。
【００１９】
図１は、特に車両用前部座席である座席１を示しており、この座席１は、２つの互いに平行なスライドレール５によって車両の床４に固定されている座席部品３の上に旋回可能な形で装着されている背もたれ部品２を含み、各スライドレール５はいわゆる「縦方向」に延びており、座席１の全体が前後移動することを可能にしている。
【００２０】
各スライドレール５は、一方では、上記車両の床４に固定されている固定部分６と、他方では、座席の座席部品３に固定され、上記縦方向に対して平行に上記固定部分上にスライド可能な形で装着されている可動部分７とを含む。
【００２１】
各スライドレールの固定部分６と可動部分７は、互いの間に中空の内側空間８を形成し（図２を参照）、この内側空間８内には、詳細を後述するスライドレール止め具が収容されており、このスライドレール止め具は、通常は、対応するスライドレールの可動部分７をそのスライドレール止め具が固定するロック位置に位置している。
【００２２】
２つのスライドレール５の止め具は、概ねＵ字形である制御棒９を座席１内の乗客が上向きに引き上げる時に、同時にロックを解除することが可能である。この制御棒９の基部は、座席１の前側端部の下に位置しており、一方、この制御棒９の枝状部分は、２つのスライドレール５の中空内側空間８内に貫入して、対応するスライドレール止め具と結合している。
【００２３】
座席の縦方向位置を調節するために、制御棒９が起動させられ、この制御棒９、は、２つのスライドレール５の止め具のロックを解除し、これら２つのスライドレールの可動部分７がスライドすることを可能にする。この移動中に、２つのスライドレールの片方のレールの可動部分７が、後述する記憶保持ランナを引き摺っていく。
【００２４】
この記憶保持ランナは、その座席１が２ドア型車両の前部座席である場合に、例えば車両内の後部座席に出入りするために使用者がその座席全体を迅速にその最前方位置に移動させようとする時に、その座席の最終の縦方向位置の設定が記憶されることを可能にする。
【００２５】
使用者が後部座席に出入りしようとする時、または、この車両の後部座席から離れる時に、この使用者は、横方向の水平旋回軸１１を軸として座席背もたれ２を回転させるためにその背もたれ２のロックを解除する、例えばレバー１０（図１）または別の制御部品を起動させる。座席背もたれ２はそれから、その座席背もたれに内蔵されているばね（図示されていない）の作用を受けて、折りたたんだ前方位置へと概ね自動的に前方に旋回する。
【００２６】
この座席背もたれ２の旋回運動によって、外装ケーブル１２の引っ張りを引き起し、このケーブルはそれから、記憶保持ランナを含むスライドレールの可動部分７上に縦方向にスライド可能な形で装着されているスライダ１３（図２）を後方に引っ張る。このスライダ１３は、通常、戻りばね１４によって前方位置に保持されている。
【００２７】
後述するように、スライダ１３がその後方位置に移動することによって、そのスライダを含むスライドレール５の止め具のロックが解除される。さらに、スライダ１３は、２つのスライドレールの可動部分７にそれぞれ固定されているフランジ１７、１８の上にその端部が旋回可能な形で装着されている、横方向の水平な連結棒１６と一体であるリンク１５の旋回を生じさせる。
【００２８】
スライダ１３を含まないスライドレール５の付近に位置している連結棒１６の端部は、スライダ１３がその後方位置に移動させられる時に、対応するスライドレール止め具の支持端縁２０の上を押すことによって旋回するようになっている、後方に延びるレバー１９と一体である。
【００２９】
したがって、座席背もたれ２が前方に折り曲げられる時に、２つのスライドレールの止め具のロックが解除され、座席部品３がその最前方位置に移動させられることが可能であり、一方、上記記憶保持ランナが、座席の後方移動を制限するように所定位置に留まる。その後、座席の使用者が座席をその使用位置に戻すために座席を後方に移動させることを望む時には、座席が自動的にその初期位置、即ち、その使用者によって設定された最後の縦方向位置に停止する。
【００３０】
こうした結果が得られることを可能にする手段を、本発明の特定の実施形態の１つを示している図３から図５を参照して、より詳細に説明する。
【００３１】
この実施形態では、図４からわかるように、上記２つのスライドレールの各々の固定部分が、水平な底部２１と２つの垂直フランジ２２とを有する、上向きに開いたＵ字形の横断面を有している。この２つの垂直フランジ２２は、下向きの切欠き２４を形成する下部端縁に延びている２つの折り返しトラフ２３によって内向きにおよび下向きに延びている。
【００３２】
さらに、上記２つのスライドレールの各々の可動部分７は、下向きに開いたＵ字形の横断面を有し、この可動部分は、上記固定部分の折り返しトラフ２３の間に位置している、水平上部ウェブ２５と２つの垂直フランジ２６とを含む。垂直フランジ２６の下部端部は、固定部分の折り返しトラフ２３の中に貫入している２つの外側トラフ２７の形で上向きにかつ外向きに延ばされており、一般的に、ボール２８が、各々に外側トラフ２７の上側と下側の位置において、固定部分と可動部分との間に挿入されている。
【００３３】
特に図３においてわかるように、各スライドレールの止め具２９は、縦方向に延びている湾曲した刻み目付きの弾性金属ブレードの形態をしている。
【００３４】
この止め具２９は、溶接、リベット止め、または他の何らかの手段によって可動部分の上部ウェブ２５の下側に固定されている前方端部３０を含み、この前方端部３０は、概ね垂直に下方に延びる突起３１によって前方に延ばされ、さらに、水平方向に対して僅かに傾斜した後方部分３２によって延ばされている。
【００３５】
この後方部分３２は、止め具２９を曲げることによって垂直方向に移動することが可能であり、横方向、かつ水平方向に延びる側方歯状突起３３をその後方端部側に有し、この側方歯状突起３３は、そのオフ位置では、可動部分の垂直フランジ２６内に配置されている穴３４を通過することによって固定部分内の切欠き２４の中に貫入する。
【００３６】
最後に、スライドレール止め具２９の後方端部は、スライダ１３を含まないスライドレール５のための上記支持端縁２０へと上向きに延びている突起３５を含む。
【００３７】
各止め具２９の突起３１を、制御棒９の枝状部分の片方が貫通しており、制御９の前方部分が引っぱり上げられる時に、その枝状部分の端部が止め具部分３２を押し下げて、その止め具部分３２を下向きに動かす。
【００３８】
さらに、スライダ１３を含むスライドレール５をより詳細に参照すると、このスライドレールの可動部分の上部ウェブ２５が、スライダ１３がその中をスライドする縦方向の切れ目３６を含む（図３を参照）。
【００３９】
この切れ目３６の上に、この切れ目３６とスライダ１３とを覆う金属支持部品３７が固定されている。
【００４０】
この支持部品３７は、その前部端部に、戻しばね１４の片方の端部が固定されている前部突片３８を有し、一方、その後部端部に、外装ケーブル１２の外装の片方の端部１２ａが固定されている後部突片３９を有する。
【００４１】
さらに、支持部品３７は、スライダ１３の頭部４１がその中をスライドする縦方向の切れ目４０を含み、この頭部１３は上記スライダの後部端部から上向きに突き出し、戻りばね１４の片方の端部と外装ケーブル１２の片方の端部の両方に固定されている。
【００４２】
さらに、図５からわかるように、スライダ１３の前部端部は２つの円筒形ジャーナル４２を含み、これらのジャーナル４２は、上記スライダに対して横方向に突出しており、スライダ１３と一体の部品としてプラスチック材料で成形されることが好ましい。
【００４３】
これら２つのジャーナル４２は、切れ目３６の両側において、可動部分の上部ウェブ２５上に支持されており、スライダ１３が縦方向に移動しおよび／または横方向水平軸４３を軸として旋回することを可能にする。
【００４４】
これらのジャーナルの中心の位置では、連結棒１５の長円形の穴４６を貫入する金属棒４５がその中に係合させられている横方向の水平穴４４が、スライダ１３をさらに貫通している。
【００４５】
図３からわかるように、さらに、前向きかつ下向きに傾斜した面を形成するカム表面４８によって前部に向かって画定されている溝４７が、スライダ１３を垂直方向に貫通している。この溝４７は、さらに、上向きの支持敷居４９を形成する被支持表面によって、後部に向かって画定されている。スライドレール止め具２９の突起３５がスライダ溝４７の中に貫入している。
【００４６】
オフ位置では、支持部品３７の水平壁５０がスライダ１３のための上部止め子としてもの役目をし、スライダ１３のジャーナル４２も支持部分３７に前向きに突き当たる。したがって、オフ位置では、スライダ１３が概ね水平方向に延びていると同時に、戻しばね１４によって上向きにかつ前方に引っ張られる。
【００４７】
図３と図５からわかるように、クリップ５１がスライダ１３の後方端部に装着されており、クリップ５１は、切断平面金属シートの形をし、かつ、横方向の水平軸５２を軸としてスライダ１３上で旋回する。クリップ５１は、弾性金属ワイヤ５３によって、場合によっては、圧縮ばねによって、下向きに引っ張られており、上記スライダから下向きにかつ後向きに開いているスライダ１３の垂直スリット５４内に装着されている。
【００４８】
スリット５４の一方の側部上には、クリップ５１の下向きの旋回を制限するために、クリップ５１の局所的型打ち（半切断）によって形成された止め子ピン５１ａと係合する下部肩５４ａ(図３）を形成する上部拡張部分が備えられている。
【００４９】
クリップ５１は、スリット５４の外側に後向きに突出する２つの部分、即ち、一方では、下向きの主先端５６の形に終端する下部枝状部分、および先端５６の下方端部から上向きにかつ後向きに延びているカム表面５６ａと、
他方では、下部枝状部分５５から一定の距離を置いてその下部枝状部分５５の上方に配置されており、かつ、下向きの補助先端５８の形に終端する上部枝状部分５７、および先端５８の下部端部から上向きにかつ後向きに延びているカム表面５８ａを含む。
【００５０】
補助先端５８は、後述するように、上記可動部分の上部ウェブ２５内に配置されている溝５９内に係合するようになっており、一方、主先端５６は、上記固定部分の底部２１に固定されている金属レール６２上を縦方向にスライドする記憶保持ランナ６１のハウジング６０内に係合するようになっている。
【００５１】
プラスチック材料で成形されることが有利であり得る記憶保持ランナ６１は、レール６２上を摩擦を伴って縦方向にスライドできるように、レール６２上に嵌め込まれている。
【００５２】
さらに、記憶保持ランナ６１は、そのランナ６１の後部端部に、横断水平軸６５を軸として旋回可能に装着されており、かつ上記ランナによって支持されているばね６６によって上向きに引っ張られている金属ランナ止め具６４を有する。
【００５３】
ランナ止め具６４はさらに、レール６２内に配置されている切欠き６８内に係合するようになっている、下向きの歯状突起６７も含み、この切欠き６８は、上記固定部分の切欠き２４と同じ配置間隔で、または、切欠き２４の配置間隔の整数倍の配置間隔で形成されている。
【００５４】
図３に示されているように、オフ位置では、上記ランナ止め具の歯状突起６７、はばね６６によって切欠き６８から離脱した状態に保たれ、この場合には、上記ランナ止め具の突出部６９が、記憶保持ランナの止め子７０、および／または、例えば上記固定部分の上部ウェブ２５内に嵌合することによって固定されている、例えば切込み付きの垂直な金属シートの形態を有することが可能であるくさび７１に押し当たっており、この金属シートが、クリップ５１の平面に対して変位した縦方向の垂直平面内に延びている。
【００５５】
くさび７１は、その前部端部に、上記ランナ止め具の概ね垂直な前面７３と通常接触している止め子ピン７２を有する。さらに、くさび７１は、
車両の後部座席に出入りするためにスライドレールの可動部分７が前方に移動させられる時に、レール６２の切欠き６８内に係合させられた状態に歯状突起６７を維持するために上記ランナ止め具の上部支持表面７５と係合する第１のカム表面７４と、
車両の後部座席に対する出入りが完了した後にスライドレールの可動部分７がその初期位置に戻る時に上記ランナ止め具を旋回させてそのロック位置に戻すために、上記ランナ止め具の上部支持表面７５の前部端縁と係合するように構成されている第２のカム表面７６を含む。
【００５６】
カム表面７４、７６は、上記ランナとレールとの間の摩擦係数を考慮して、ランナ６１がそのレール上をスライドすることなしにランナ止め具６４を旋回させるのに充分なだけ傾斜させられている。
【００５７】
最後に、図５からわかるように、記憶保持ランナ６１は、上向きにかつ後向きに傾斜している、前向きに突き出した突端７７を含み、この突端７７の有用性は後でわかるであろう。この突端７７は、概ね垂直である２つの引っ込んだ前面７７ａ、７７ｂと側面を接している。
【００５８】
上記で説明した装置は次のように動作する。
【００５９】
座席使用者がこの座席の縦方向位置を調節しようとする時、この使用者は、制御棒９の前方端部を持ち上げ、サイドレールの２つの止め具２９のロックを解除する。
【００６０】
図７に示されているように、スライダ１３に対応するサイドレール止め具の支持端縁２０が、上記スライダの支持敷居４９を押し、このことが、クリップ５１の主先端５６が記憶保持ランナ６１の対応ハウジング６０内に係合するまで、上記スライダの後部端部を軸４３を支点として下向きに旋回させる。
【００６１】
上記固定部分の切欠き２４から止め具２９の歯状突起が離脱させられる以前に、対応ハウジング６０内での主先端５６の係合が生じることが有利である。
【００６２】
その後、座席使用者が、記憶保持ランナ６１を含むスライドレールの可動部分７と共に記憶保持ランナ６１を引っ張ることによって、座席部品の縦方向位置を調節することが可能である。
【００６３】
さらに明確に述べれば、前方への記憶保持ランナ６１の引張りが、クリップ５１の主先端５６によって生じさせられ、一方、後方への記憶保持ランナ６１の引張りが、一方では、スライダに属している止め子ピン６３の後面６３ａと、他方では、記憶保持ランナの前面７７ｂとの間の係合によって生じさせられる。
【００６４】
さらに、何らかの理由から、記憶保持ランナ６１が、例えば操作上の誤りの後に（または、後述する図１０の変形例ではスライドレールの通常の操作中に）スライドレールの可動部分７から離脱させられてしまった場合には、上記記憶保持ランナ６１が、場合に応じて、座席全体の縦方向位置の調節中に、使用者がそれに気づくことさえなしに、可動部分に再び装着されることが可能である。
【００６５】
実際に、こうした状況では、図８に示されているように、使用者が座席全体の縦方向位置を後方移動によって調節する場合には、クリップ５１のカム表面５６ａが、クリップ５１の主先端５６が記憶保持ランナの対応ハウジング６０内に係合することが可能となるまで、記憶保持ランナの傾斜前部端縁７７と係合してクリップ５１を持ち上げ、このことが、図６に示されている位置にスライドレールを戻す。
【００６６】
記憶保持ランナがこのようにして装着されつつある時には、主先端５６がハウジング６０内に係合し終わるまで、カム７１のカム表面７６がランナ止め具の上部支持表面７５と係合してランナ止め具をそのロック位置に保持し、このことが、レール６２に沿って記憶保持ランナがスライドすることを防止する。
【００６７】
最後に、図９に示されているように、車両の後部座席に出入りすることが必要とされる場合には、座席背もたれの前方への折り曲げが、ケーブル１２の引張りを生じさせ、このことがスライダの後方へのスライドを引き起こす。
【００６８】
このスライド移動によって、スライダのカム表面４８が、対応するスライドレール止め具の支持端縁２０に対して、このスライドレール止め具をそのロック解除位置につけるように作用する。
【００６９】
さらに、スライダ１３のスライド移動がリンク棒１５と連結棒１６を旋回させ、このことが、スライダ１３を含まないスライドレールの止め具のロックを解除する。
【００７０】
最後に、クリップ５１のカム表面５６ａが支持端縁２０の前面７３と係合し、それによってクリップ５１を上向きに旋回させると同時に、スライダの後面１３ａが切れ目３６の端部に突き当たるまでランナ止め具６４を下向きに旋回させて、そのロック位置に移動させる。
【００７１】
次に、クリップ５１の主先端５６がランナ止め具の上部支持表面７５を押圧し、クリップ５１の補助先端５８が、上記可動部分の上部ウェブ２５内に配置されている対応する溝５９の上方に位置している。
【００７２】
この移動中において、スライドレール止め具がそのロック解除位置に到達し終わる前に、ランナ止め具６４がロック位置に置かれることが好ましいということに留意されたい。
【００７３】
次に、後部座席に出入りするために前部座席の座席部品が次に前方移動させられる時に、先ず、くさび７１がランナ止め具６４をそのロック位置に保持し、一方、主先端５６がランナ止め具を離れるや否や、クリップ５１が下向きに旋回でき、このことが上記クリップの補助先端５８がその対応する溝５９内に貫入することを可能にする。
【００７４】
したがって、座席使用者が次にその座席背もたれを再び直立させる場合にさえ、スライダ１３が補助先端５８によってその後方位置に保持され、その結果としてスライドレールがロック解除状態のままとなる。
【００７５】
スライドレールの可動部分７が充分に前方移動し終わった直後に、くさび７１がもはやランナ止め具６４に作用しなくなり、このランナ止め具がそのロック解除位置に戻り、この場合には、記憶保持ランナ６１が、そのランナとレール６２との間の摩擦だけによってその位置を保持する。
【００７６】
座席背もたれをその初期位置に戻すために前部座席の座席部品が次に後方に移動させられる時には、最初に、くさび７１のカム表面７６がランナ止め具をそのロック位置に戻し、その後、クリップ５１がランナ止め具の上を通過することによって持ち上げられ、このことが、補助先端５８をその対応する溝５９から離脱させ、一方止め子ピン６３および／または７２が記憶保持ランナ６１とその止め具６４とに対して別々に突き当たる。
【００７７】
スライダ１３はその後その前方位置に戻り、座席が再び引き起こされるや否や、２つのスライドレールの止め具がそのロック位置に戻ることを可能にする。
【００７８】
明らかに、本発明は、上記の特定の実施形態に限定されない。それどころか、本発明は、その変形例の全てを含み、特に、
座席がその初期位置に戻り終わっていない場合でさえ、車両の後部座席への出入りの際に、座席使用者が座席背もたれを再び直立状態に戻す時にスライドレールが直ちに再ロックされる、図１０に示されている通りの、クリップ５１の補助先端５８が省略されている変形例、および、
座席の２つのスライドレール５が互いに同一であり、かつ、外装ケーブルによって各スライドレールが制御される変形例
を含む。
【図面の簡単な説明】
【図１】本発明の一実施様態によるスライドレールが取り付けられている車両用座席の概略図である。
【図２】図１の座席のスライドレールを示す斜視図である。
【図３】図４の線ＩＩＩ−ＩＩＩに沿った、オフ位置にある図２の片方のスライドレールの縦断面図である。
【図４】図３の線ＩＶ−ＩＶに沿った断面図である。
【図５】スライドレールのロックおよび記憶保持機構を示す、図３および図４のスライドレールの部分切断図である。
【図６】上記スライドレールの記憶保持ランナの正面斜視図である。
【図７】スライドレールの縦方向位置の調整時における、図３の縦断面図と同様の縦断面図である。
【図８】記憶位置が失われた場合にスライドレールがその以前に記憶された位置に戻される時の、図３の縦断面図と同様の縦断面図である。
【図９】車両の後部座席に出入りする際の、図３の縦断面図と同様の縦断面図である。
【図１０】本発明の変形例に関する、図３の縦断面図と同様の縦断面図である。
【符号の説明】
１ 座席
２ 背もたれ部品
３ 座席部品
４ 車両の床
５ スライドレール
６ 固定部分
７ 可動部分
８ 中空内側空間
９ 制御棒
１０ レバー
１１ 水平線回軸
１２ 外装ケーブル
１３ スライダ
１４ 戻りばね
１５ リンク
１６ 連結棒
１７、１８ フランジ
１９ レバー
２０ 支持端縁
２２ 垂直フランジ
２３ 折り返しトラフ
２４ 切欠き
２５ 水平上部ウエブ
２６ 垂直フランジ
２７ 外側トラフ
２８ ボール
２９ スライドレール止め具
３０ 前方端部
３１ 突起
３２ 後方端部
３３ 側方歯状突起
３４ 穴
３６ 切れ目
３７ 支持部材
３８ 前部突片
３９ 後部突片
４０ 切れ目
４１ 頭部
４２ ジャーナル
４３ 水平軸
４４ 水平穴
４５ 金属棒
４６ 穴
４７ 溝
４８ カム表面
４９ 支持敷居
５０ 水平壁
５１ クリップ
５１ａ 止め子ピン
５４ スリット
５４ａ 下端肩
５５ 下部技状部分
５６ 主先端
５６ａ カム表面
５７ 上部技状部分
５８ 補助先端
５８ａ カム表面
５９ 溝
６０ ハウジング
６１ 記憶保持ランナ
６２ 端レール
６３ 止め子ピン
６３ａ 後面
６４ ランナ止め具
６６ ばね
６７ 歯状突起
６８ 切欠き
６９ 突出部
７０ 止め子
７１ くさび
７２ 止め子ピン
７３ 前面
７４，７６ カム表面
７５ 上部支持表面
７７ 突端
７７ａ、７７ｂ 前面
【図１】
0004083338.tif 000002
【図２】
0004083338.tif 000003
【図３】
0004083338.tif 000004
【図４】
0004083338.tif 000005
【図５】
0004083338.tif 000006
【図６】
0004083338.tif 000007
【図７】
0004083338.tif 000008
【図８】
0004083338.tif 000009
【図９】
0004083338.tif 000010
【図１０】
0004083338.tif 000011